【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
第１のアスペクト比の画像データを出力するためのデータ処理を行う第１の画像データ出力処理部と、
第２のアスペクト比の画像データを出力するためのデータ処理を行う第２の画像データ出力処理部と、
表示出力対象とする元画像データのアスペクト比と、上記第１のアスペクト比との関係に応じた画像変換処理を行って上記第１のアスペクト比の画像データを生成し、上記第１の画像データ出力処理部に供給すると共に、上記元画像データのアスペクト比と、上記第２のアスペクト比との関係に応じ、かつ上記元画像データの画像内容の全てを含むようにする画像変換処理を行い、上記元画像データの画像内容の全てを含んだ状態で上記第２のアスペクト比となる画像データを生成して上記第２の画像データ出力処理部に供給する画像変換処理部と、
を備えた画像出力装置。
【請求項２】
上記画像変換処理部は、
上記第１のアスペクト比の画像データの生成のための画像変換処理において元画像データの画像内容の一部の切り出し処理を行う場合には、
上記第２のアスペクト比の画像データを生成する画像変換処理では、上記第２のアスペクト比の画像データとして、上記第１のアスペクト比の画像データにおいて上記切り出し処理によって棄てられた画像内容部分を提示する画像データを生成する請求項１に記載の画像出力装置。
【請求項３】
操作入力に応じてワイドズームモードが設定されるとともに、
上記画像変換処理部は、ワイズズームモードとされている際の画像変換処理として、元画像のアスペクト比と上記第１のアスペクト比との関係に応じて、上記切り出し処理を実行する請求項２に記載の画像出力装置。
【請求項４】
上記画像変換処理部は、ワイズズームモードとされている際には、上記元画像データの回転情報を確認し、画像の回転角度が所定の角度の場合に、元画像のアスペクト比と上記第１のアスペクト比との関係に応じて、上記切り出し処理を実行する請求項３に記載の画像出力装置。
【請求項５】
上記棄てられた画像内容部分を提示する画像データとは、上記棄てられた画像内容部分をハーフトーン表示する画像データである請求項２に記載の画像出力装置。
【請求項６】
記録媒体から画像データを読み出す読出部をさらに備え、
表示出力対象とする上記元画像データとは、上記読出部によって記録媒体から読み出された画像データである請求項１に記載の画像出力装置。
【請求項７】
表示部を備え、
上記第１の画像データ出力処理部は、上記第１のアスペクト比の画像データを外部機器に対して出力し、
上記第２の画像データ出力処理部は、上記第２のアスペクト比の画像データを上記表示部に対して出力する、
請求項１に記載の画像出力装置。
【請求項８】
第１の画像データを出力するためのデータ処理を行う第１の画像データ出力処理部と、
第２の画像データを出力するためのデータ処理を行う第２の画像データ出力処理部と、
表示出力対象とする元画像データの画像変換処理を行って上記第１の画像データを生成し、上記第１の画像データ出力処理部に供給すると共に、上記元画像データの画像内容の全てを含むようにする画像変換処理を行い、上記元画像データの画像内容の全てを含んだ状態の画像データを生成して上記第２の画像データ出力処理部に供給する画像変換処理部と、
を備えた画像出力装置。
【請求項９】
第１のアスペクト比の画像データを出力するとともに、第２のアスペクト比の画像データを出力する画像出力装置の画像出力方法として、
表示出力対象とする元画像データのアスペクト比と、上記第１のアスペクト比との関係に応じた画像変換処理を行って上記第１のアスペクト比の画像データを生成し、出力するステップと、
上記元画像データのアスペクト比と、上記第２のアスペクト比との関係に応じ、かつ上記元画像データの画像内容の全てを含むようにする画像変換処理を行い、上記元画像データの画像内容の全てを含んだ状態で上記第２のアスペクト比となる画像データを生成して出力するステップと、
を備える画像出力方法。
【請求項１０】
第１のアスペクト比の画像データを出力するとともに、第２のアスペクト比の画像データを出力する画像出力装置の動作を制御するプログラムとして、
表示出力対象とする元画像データのアスペクト比と、上記第１のアスペクト比との関係に応じた画像変換処理を行って上記第１のアスペクト比の画像データを生成し、出力する処理の制御ステップと、
上記元画像データのアスペクト比と、上記第２のアスペクト比との関係に応じ、かつ上記元画像データの画像内容の全てを含むようにする画像変換処理を行い、上記元画像データの画像内容の全てを含んだ状態で上記第２のアスペクト比となる画像データを生成して出力する処理の制御ステップと、
を画像出力装置の制御部に実行させるプログラム。
【手続補正２】
【補正対象書類名】明細書
【補正対象項目名】発明の名称
【補正方法】変更
【補正の内容】
【発明の名称】画像出力装置、画像出力方法、プログラム
【手続補正３】
【補正対象書類名】明細書
【補正対象項目名】０００１
【補正方法】変更
【補正の内容】
【０００１】
本発明は画像出力装置、画像出力方法、プログラムに関し、特に本体に表示パネルを有するとともに、外部機器での表示のために画像信号を出力できるようにされている機器に関する。
【手続補正４】
【補正対象書類名】明細書
【補正対象項目名】００１０
【補正方法】変更
【補正の内容】
【００１０】
本発明の画像出力装置は、第１のアスペクト比の画像データを出力するためのデータ処理を行う第１の画像データ出力処理部と、第２のアスペクト比の画像データを出力するためのデータ処理を行う第２の画像データ出力処理部と、画像変換処理部とを備える。この画像変換処理部は、表示出力対象とする元画像データのアスペクト比と、上記第１のアスペクト比との関係に応じた画像変換処理を行って上記第１のアスペクト比の画像データを生成し、上記第１の画像データ出力処理部に供給すると共に、上記元画像データのアスペクト比と、上記第２のアスペクト比との関係に応じ、かつ上記元画像データの画像内容の全てを含むようにする画像変換処理を行い、上記元画像データの画像内容の全てを含んだ状態で上記第２のアスペクト比となる画像データを生成して上記第２の画像データ出力処理部に供給する。
【手続補正５】
【補正対象書類名】明細書
【補正対象項目名】００１１
【補正方法】変更
【補正の内容】
【００１１】
また、上記画像変換処理部は、上記第１のアスペクト比の画像データの生成のための画像変換処理において元画像データの画像内容の一部の切り出し処理を行う場合には、上記第２のアスペクト比の画像データを生成する画像変換処理では、上記第２のアスペクト比の画像データとして、上記第１のアスペクト比の画像データにおいて上記切り出し処理によって棄てられた画像内容部分を提示する画像データを生成する。
また、操作入力に応じてワイドズームモードが設定されるとともに、上記画像変換処理部は、ワイズズームモードとされている際の画像変換処理として、元画像のアスペクト比と上記第１のアスペクト比との関係に応じて、上記切り出し処理を実行する。
また、上記画像変換処理部は、ワイズズームモードとされている際には、上記元画像データの回転情報を確認し、画像の回転角度が所定の角度の場合に、元画像のアスペクト比と上記第１のアスペクト比との関係に応じて、上記切り出し処理を実行する。
また、上記棄てられた画像内容部分を提示する画像データとは、上記棄てられた画像内容部分をハーフトーン表示する画像データである。
また、記録媒体から画像データを読み出す読出部をさらに備える。そして表示出力対象とする上記元画像データとは、上記読出部によって記録媒体から読み出された画像データである。
また表示部を備え、上記第１の画像データ出力処理部は、上記第１のアスペクト比の画像データを外部機器に対して出力し、上記第２の画像データ出力処理部は、上記第２のアスペクト比の画像データを上記表示部に対して出力する。
【手続補正６】
【補正対象書類名】明細書
【補正対象項目名】００１２
【補正方法】変更
【補正の内容】
【００１２】
本発明の画像出力装置は、第１の画像データを出力するためのデータ処理を行う第１の画像データ出力処理部と、第２の画像データを出力するためのデータ処理を行う第２の画像データ出力処理部と、表示出力対象とする元画像データの画像変換処理を行って上記第１の画像データを生成し、上記第１の画像データ出力処理部に供給すると共に、上記元画像データの画像内容の全てを含むようにする画像変換処理を行い、上記元画像データの画像内容の全てを含んだ状態の画像データを生成して上記第２の画像データ出力処理部に供給する画像変換処理部とを備える。
【手続補正７】
【補正対象書類名】明細書
【補正対象項目名】００１３
【補正方法】変更
【補正の内容】
【００１３】
本発明の画像出力方法は、第１のアスペクト比の画像データを出力するとともに、第２のアスペクト比の画像データを出力する画像出力装置の画像出力方法として、表示出力対象とする元画像データのアスペクト比と、上記第１のアスペクト比との関係に応じた画像変換処理を行って上記第１のアスペクト比の画像データを生成し、出力するステップと、上記元画像データのアスペクト比と、上記第２のアスペクト比との関係に応じ、かつ上記元画像データの画像内容の全てを含むようにする画像変換処理を行い、上記元画像データの画像内容の全てを含んだ状態で上記第２のアスペクト比となる画像データを生成して出力するステップとを備える。